【手続補正書】
【提出日】平成16年9月3日(2004.9.3)
【手続補正１】
【補正対象書類名】明細書
【補正対象項目名】特許請求の範囲
【補正方法】変更
【補正の内容】
【特許請求の範囲】
【請求項１】  Σｉ（ｉ＝１、２、・・・、Ｎ）と名付けられたＮ＝２n状態を有し、所定の基本信号ｓi（ｔ）がコード化された信号ｘ（ｔ）において組み合せられる、速度Ｔを有する情報ビット｛ｕk｝のシーケンスによって構成されたバイナリ・データを示すコード化された信号ｘ（ｔ）を得るための、次元ｎのコードを用いて、デジタルデータがコード化されるデジタル通信をコード化するための伝送方法であって、時間ｔ＝ｋＴにおいて前記コード化がＮ状態の状態Σmにある場合、前記シーケンス｛ｕk}の前記情報ビットｕkの到着により、前記Ｎ状態の状態Σqに移行させられ、ｘ（ｔ）として前記基本信号ｓi（ｔ）を選択するように強制され、ここで、ｑ及びｉが次の方程式：
ｄ1＝ｍ−１  変調２
ｄ0＝ｄ1＋ｕk  変調２
ｒ＝２（ｍ−１）＋ｄ0
ｑ＝（ｒ  変調Ｎ）＋１
2004516714.tif 000001
により与えられたことを特徴とし、
前記基本信号ｓi（ｔ）（ｉ＝±１、±２、・・・、±Ｎ）が、ｓ-i（ｔ）＝−ｓi（ｔ）となり、ｉ≧１の場合、
2004516714.tif 000002
となり、ここで、
2004516714.tif 000003
であり、ｇ（ｔ）が、ｇ（ｔ）＝ｇ（−ｔ）となるように原点に中心をもつ時間の長さＤ＝(ｎ＋１)Ｔのパルスであり、長さＴ／２の時間間隔にわたって一定値を有することを特徴とする伝送方法。
【請求項２】  前記基本信号ｓi（ｔ）（ｉ＝±１、±２、・・・、±Ｎ）が、信号ｓ-i（ｔ）＝−ｓi（ｔ）の組から成り、長さＴの時間間隔においてゼロでないレベルを有し、他の場合にゼロレベルを有することを特徴とする請求項１に記載の伝送方法。
【請求項３】  前記信号の各々の組が、他の組の信号のレベルと異なるレベルを有することを特徴とする請求項２に記載の伝送方法。
【請求項４】  レベルの差が、より良いスペクル形状を生じさせるために選択されたことを特徴とする請求項３に記載の伝送方法。
【請求項５】  前記信号の組の一方の信号の符号が、Ｔ／２において反転することを特徴とする請求項２に記載の伝送方法。
【請求項６】  前記信号の組の一方の信号が、長さＴ／２の時間間隔にわたって一定のレベルを有することを特徴とする請求項５に記載の伝送方法。
【請求項７】  前記次元がｎ＝１であるとき、前記信号の組の他方が、一定レベルの長さＴのパルスから成ることを特徴とする請求項５に記載の伝送方法。
【請求項８】  前記信号の組の一方の前記一定レベルが、前記信号の組の他方の前記一定レベルより低いことを特徴とする請求項６及び請求項７に記載の伝送方法。
【請求項９】  前記信号の組の前記一方の前記一定のレベルが、前記信号の組の他方の前記一定レベルの半分に等しいことを特徴とする請求項８に記載の伝送方法。
【請求項１０】  方程式（１）により与えられた信号ｓi（ｔ）が濾波され、ｘ（ｔ）を形成する基本信号ｓｉ（ｔ）がもたらされ、フィルタ大域幅がビット速度の半分よりも大きくないことを特徴とする請求項１に記載の伝送方法。
【請求項１１】  伝送手段で前記コード化された信号を伝送することを含むことを特徴とする前記請求項のいずれか１つに記載の伝送方法。
【請求項１２】  前記伝送手段が、分散光ファイバであることを特徴とする請求項１１に記載の伝送方法。
【請求項１３】  所定の基本信号ｓi（ｔ）を備え、バイナリ・データを示す、コード化された信号ｘ（ｔ）を得るための、次元ｎのコードに従って、前記デジタルデータをコード化するための符号器を備えているデジタル通信をコード化するための装置であって、
前記バイナリ・データは、速度Ｔを有する情報ビットのシーケンス｛ｕk｝によって構成され、前記コードは、Σｉ（ｉ＝１、２、・・・、Ｎ）と名付けられたＮ＝２n状態を有するデジタル通信をコード化するための装置であって、
前記符号器は、時間ｔ＝ｋＴにおいて前記コード化がＮ状態の状態Σmにある場合、前記シーケンス｛ｕk}の前記情報ビットｕkの到着により、前記Ｎ状態の状態Σqに移行させられ、ｘ（ｔ）として前記基本信号ｓi（ｔ）を選択するように強制され、ここで、ｑ及びｉが次の方程式：
ｄ1＝ｍ−１  変調２
ｄ0＝ｄ1＋ｕk  変調２
ｒ＝２（ｍ−１）＋ｄ0
ｑ＝（ｒ  変調Ｎ）＋１
2004516714.tif 000004
により与えられたことを特徴とし、
前記基本信号ｓi（ｔ）（ｉ＝±１、±２、・・・、±Ｎ）が、ｓ-i（ｔ）＝−ｓi（ｔ）となり、ｉ≧１の場合、
2004516714.tif 000005
となり、ここで、
2004516714.tif 000006
であり、ｇ（ｔ）が、ｇ（ｔ）＝ｇ（−ｔ）となるように原点に中心をもつ時間の長さＤ＝(ｎ＋１)Ｔのパルスであり、長さＴ／２の時間間隔にわたって一定値を有することを特徴とするデジタル通信をコード化するための装置。
【請求項１４】  前記基本信号ｓi（ｔ）（ｉ＝±１、±２、・・・、±Ｎ）が、信号ｓ-i（ｔ）＝−ｓi（ｔ）の組から成り、長さＴの時間間隔においてゼロでないレベルを有し、他の場合にゼロレベルを有することを特徴とする請求項１３に記載の装置。
【請求項１５】  前記信号の各々の組が、他の組の信号のレベルと異なるレベルを有することを特徴とする請求項１４に記載の装置。
【請求項１６】  レベルの差が、より良いスペクル形状を生じさせるために選択されたことを特徴とする請求項１５に記載の装置。
【請求項１７】  前記信号の組の一方の信号の符号が、Ｔ／２において反転することを特徴とする請求項１４に記載の装置。
【請求項１８】  前記信号の組の一方の信号が、長さＴ／２の時間間隔にわたって一定のレベルを有することを特徴とする請求項１７に記載の装置。
【請求項１９】  前記次元がｎ＝１であるとき、前記信号の組の他方が、一定レベルの長さＴのパルスから成ることを特徴とする請求項１７に記載の装置。
【請求項２０】  前記信号の組の一方の前記一定レベルが、前記信号の組の他方の前記一定レベルより低いことを特徴とする請求項１８及び請求項１９に記載の装置。
【請求項２１】  前記信号の組の前記一方の前記一定のレベルが、前記信号の組の他方の前記一定レベルの半分に等しいことを特徴とする請求項２０に記載の装置。
【請求項２２】  方程式（１）により与えられた信号ｓi（ｔ）が濾波され、ｘ（ｔ）を形成する基本信号ｓｉ（ｔ）がもたらされたことを特徴とする請求項１３に記載の装置。
【請求項２３】  伝送手段で前記コード化された信号を伝送することを特徴とする請求項１３に記載の装置。
【請求項２４】  前記伝送手段が、分散光ファイバであることを特徴とする請求項２３に記載の装置。
【請求項２５】  符号器と伝送手段との間にローパスフィルターを備え、フィルタ帯域幅がビット速度の半分よりも大きくないことを特徴とする請求項２３又は２４に記載の装置。
【手続補正２】
【補正対象書類名】明細書
【補正対象項目名】０００５
【補正方法】変更
【補正の内容】
【０００５】
（発明の開示）
この目的を考慮して、本発明においては、Σｉ（ｉ＝１、２、・・・、Ｎ）と名付けられたＮ＝２n状態を有し、所定の基本信号ｓi（ｔ）がコード化された信号ｘ（ｔ）において組み合せられる、速度Ｔを有する情報ビット｛ｕk｝のシーケンスによって構成されたバイナリ・データを示すコード化された信号ｘ（ｔ）を得るための、次元ｎのコードを用いて、デジタルデータがコード化されるデジタル通信をコード化するための伝送方法であって、時間ｔ＝ｋＴにおいて前記コード化がＮ状態の状態Σmにある場合、前記シーケンス｛ｕk}の前記情報ビットｕkの到着により、前記Ｎ状態の状態Σqに移行させられ、ｘ（ｔ）として前記基本信号ｓi（ｔ）を選択するように強制され、ここで、ｑ及びｉが次の方程式：
ｄ1＝ｍ−１  変調２
ｄ0＝ｄ1＋ｕk  変調２
ｒ＝２（ｍ−１）＋ｄ0
ｑ＝（ｒ  変調Ｎ）＋１
2004516714.tif 000007
により与えられたことを特徴とし、
前記基本信号ｓi（ｔ）（ｉ＝±１、±２、・・・、±Ｎ）が、ｓ-i（ｔ）＝−ｓi（ｔ）となり、ｉ≧１の場合、
2004516714.tif 000008
となり、ここで、
2004516714.tif 000009
であり、ｇ（ｔ）が、ｇ（ｔ）＝ｇ（−ｔ）となるように原点に中心をもつ時間の長さＤ＝(ｎ＋１)Ｔのパルスであり、長さＴ／２の時間間隔にわたって一定値を有することを特徴とする伝送方法が提供された。
また、本発明に基づいて、デジタル・データが上述のコード化方式によってコード化され、コード化された信号が伝送手段で伝送されることを特徴とする、コード化されたデジタル通信のための伝送方法も提供された。
【手続補正３】
【補正対象書類名】明細書
【補正対象項目名】０００６
【補正方法】変更
【補正の内容】
【０００６】
また、本発明に基づいて、所定の基本信号ｓi（ｔ）を備え、バイナリ・データを示す、コード化された信号ｘ（ｔ）を得るための、次元ｎのコードに従って、前記デジタルデータをコード化するための符号器を備えているデジタル通信をコード化するための装置であって、
前記バイナリ・データは、速度Ｔを有する情報ビットのシーケンス｛ｕk｝によって構成され、前記コードは、Σｉ（ｉ＝１、２、・・・、Ｎ）と名付けられたＮ＝２n状態を有するデジタル通信をコード化するための装置であって、
前記符号器は、時間ｔ＝ｋＴにおいて前記コード化がＮ状態の状態Σmにある場合、前記シーケンス｛ｕk}の前記情報ビットｕkの到着により、前記Ｎ状態の状態Σqに移行させられ、ｘ（ｔ）として前記基本信号ｓi（ｔ）を選択するように強制され、ここで、ｑ及びｉが次の方程式：
ｄ1＝ｍ−１  変調２
ｄ0＝ｄ1＋ｕk  変調２
ｒ＝２（ｍ−１）＋ｄ0
ｑ＝（ｒ  変調Ｎ）＋１
2004516714.tif 000010
により与えられたことを特徴とし、
前記基本信号ｓi（ｔ）（ｉ＝±１、±２、・・・、±Ｎ）が、ｓ-i（ｔ）＝−ｓi（ｔ）となり、ｉ≧１の場合、
2004516714.tif 000011
となり、ここで、
2004516714.tif 000012
であり、ｇ（ｔ）が、ｇ（ｔ）＝ｇ（−ｔ）となるように原点に中心をもつ時間の長さＤ＝(ｎ＋１)Ｔのパルスであり、長さＴ／２の時間間隔にわたって一定値を有することを特徴とするデジタル通信をコード化するための装置も提供された。